(57)【要約】【課題】  オーディオビジュアルデータをファイル単位で一括して読み込む必要がなく、また、ファイルでデータが送られてくるのではなく、随時、再生データが送られてくる場合でも電子機器からオーディオビジュアル機器にオーディオビジュアルデータを送ることができる。【解決手段】  オーディオビジュアルデータが通信手段で時系列で随時送られてくるために１つのファイルになっていないにもかかわらず、オーディオビジュアル機器で読取・再生可能なファイル形式のオーディオビジュアルデータファイルとして、あたかも１つのファイルに束ねられているように偽装するファイルエミュレート手段と、オーディオビジュアルアダプタを、オーディオビジュアル機器に対して、オーディオビジュアルデータファイルが保存されたメモリとして認識可能な形態で接続するためのインタフェース手段とを備えることを特徴とする。【選択図】図１
2016208167.tif 000002
【特許請求の範囲】
【請求項１】
オーディオや映像をデータ化したオーディオビジュアルデータを保存する電子機器から該オーディオビジュアルデータを再生するためのオーディオビジュアル機器に、該オーディオビジュアルデータを送るためのオーディオビジュアルアダプタにおいて、
該電子機器との間で該オーディオビジュアルデータを授受する通信手段と、
該オーディオビジュアルデータが該通信手段で時系列で随時送られてくるために１つのファイルになっていないにもかかわらず、該オーディオビジュアル機器で読取・再生可能なファイル形式のオーディオビジュアルデータファイルとして、あたかも１つのファイルに束ねられているように偽装するファイルエミュレート手段と、
当該オーディオビジュアルアダプタを、該オーディオビジュアル機器に対して、該オーディオビジュアルデータファイルが保存されたメモリとして認識可能な形態で接続するためのインタフェース手段とを備え、
該電子機器から適宜連続的に送られてくる該オーディオビジュアルデータを、該オーディオビジュアル機器で連続的に再生可能とすることを特徴とするオーディオビジュアルアダプタ。
【請求項２】
前記ファイルエミュレート手段が、
前記通信手段で時系列で随時送られてくる前記オーディオビジュアルデータを、１つのファイルとして保存するのではなく、
該通信手段から受領したオーディオビジュアルデータがファイル化されていないにも拘わらず、前記オーディオビジュアルデータファイルが存在するようにみせかけ、
且つ該オーディオビジュアルデータが、あたかも該オーディオビジュアルデータファイルのデータの一部として読み出せるように偽装することを特徴とする請求項１記載のオーディオビジュアルアダプタ。
【請求項３】
前記電子機器側から送られてくる通信するために最適化された前記オーディオビジュアルデータを、前記オーディオビジュアルデータファイルに適合したデータに変換・制御するためのオーディオビジュアル制御手段を備えることを特徴とする請求項１又は請求項２記載のオーディオビジュアルアダプタ。
【請求項４】
前記インタフェース手段が、前記オーディオビジュアル機器との間で、ＵＳＢ形式を用いて接続されることを特徴とする請求項１〜請求項３いずれかに記載のオーディオビジュアルアダプタ。
【請求項５】
前記通信手段が、無線手段であることを特徴とする請求項１〜請求項４のいずれかに記載のオーディオビジュアルアダプタ。
【請求項６】
前記無線手段の通信方式が、Ｂｌｕｅｔｏｏｔｈ（登録商標）であることを特徴とする請求項５記載のオーディオビジュアルアダプタ。
【請求項７】
オーディオや映像をデータ化したオーディオビジュアルデータを保存する電子機器から該オーディオビジュアルデータを再生するためのオーディオビジュアル機器に、該オーディオビジュアルデータを送るための該オーディオビジュアル機器に装着されるオーディオビジュアルアダプタを介した該オーディオビジュアルデータの送信再生方法において、
該オーディオビジュアルアダプタの通信手段を介して、該電子機器との間で該オーディオビジュアルデータを該オーディオビジュアルアダプタが受け取り、
該オーディオビジュアルデータを受け取った該オーディオビジュアルアダプタが、該オーディオビジュアルデータが該通信手段で時系列で随時送られてくるために１つのファイルになっていないにもかかわらず、該オーディオビジュアル機器で読取・再生可能なファイル形式のオーディオビジュアルデータファイルとして、あたかも１つのファイルに束ねられているように偽装し、
該オーディオビジュアルアダプタを、該オーディオビジュアル機器に対して、該オーディオビジュアルデータファイルが保存されたメモリとして認識可能な形態で接続し、
該電子機器から適宜連続的に送られてくる該オーディオビジュアルデータを、該オーディオビジュアル機器で連続的に再生可能とすることを特徴とするオーディオビジュアルデータの送信再生方法。
【請求項８】
前記オーディオビジュアルアダプタが、
前記通信手段で時系列で随時送られてくる前記オーディオビジュアルデータを、１つのファイルとして保存するのではなく、
該通信手段から受領したオーディオビジュアルデータがファイル化されていないにもかかわらず、前記オーディオビジュアルデータファイルが存在するようにみせかけ、
且つ該オーディオビジュアルデータが、あたかも該オーディオビジュアルデータファイルのデータの一部として読み出せるように偽装することを特徴とする請求項７記載のオーディオビジュアルデータの送信再生方法。
【請求項９】
前記オーディオビジュアルアダプタが、
前記オーディオビジュアルデータを、前記オーディオビジュアルデータファイルとして、あたかも１つのファイルに束ねられているように偽装するに先立ち、前記電子機器側から送られてくる通信するために最適化された該オーディオビジュアルデータを、該オーディオビジュアルデータファイルに適合したデータに変換・制御することを特徴とする請求項７又は請求項８記載のオーディオビジュアルデータの送信再生方法。
【請求項１０】
前記オーディオビジュアルアダプタが、前記オーディオビジュアル機器との間で、ＵＳＢ形式を用いて接続されることを特徴とする請求項７〜請求項９いずれかに記載のオーディオビジュアルデータの送信再生方法。
【請求項１１】
前記通信手段が、無線手段であることを特徴とする請求項７〜請求項１０のいずれかに記載のオーディオビジュアルデータの送信再生方法。
【請求項１２】
前記無線手段の通信方式が、Ｂｌｕｅｔｏｏｔｈ（登録商標）であることを特徴とする請求項１１記載のオーディオビジュアルデータの送信再生方法。
【発明の詳細な説明】
【技術分野】
【０００１】
本発明は、オーディオや映像をデータ化したオーディオビジュアルデータを保存する電子機器からオーディオビジュアルデータを再生するためのオーディオビジュアル機器に、オーディオビジュアルデータを送るためのオーディオビジュアルアダプタ及びオーディオビジュアルデータの送信再生方法に関する。
【背景技術】
【０００２】
従来より、例えば、ＵＳＢメモリ等の記憶媒体をカーオーディオやオーディオシステム等のオーディオビジュアル機器に接続し、記憶媒体に保存されたオーディオや映像をデータ化したオーディオビジュアルデータを、オーディオビジュアル機器で再生することが行われている。
【０００３】
しなしながら、記憶媒体をオーディオビジュアル機器に接続してオーディオビジュアルデータを再生する方法だと、記憶媒体内に現に存在するオーディオビジュアルデータだけしか再生することができず、内容を追加するためには、一度、記憶媒体をオーディオビジュアル機器から抜き取り、他の機器を使って記憶媒体にオーディオビジュアルデータを書き込んだ上で、再びオーディオビジュアル機器に接続し直す必要がある。
【０００４】
このような煩雑さを解消する方法の一例として、例えば、特許文献１に示されるような構成が有効である。特許文献１の例では、無線ＬＡＮのＡＰ（アクセスポイント）及びＳＴＡ（ステーション）を内蔵したメモリカードが示されている。この無線ＬＡＮ機能を内蔵したメモリカードを例えばパソコンやスマートフォンに登録し、写真や動画の自動取込を設定しておくことで、登録されたＷＬＡＮ内蔵メモリカードを挿した機器の動画や音楽が自動的にＰＣやスマートフォンに取込まれ、再生可能な状態になる。
【先行技術文献】
【特許文献】
【０００５】
【特許文献１】特開２０１３−２３５４０１号公報
【発明の概要】
【発明が解決しようとする課題】
【０００６】
しかしながら、従来のいずれの接続装置（接続方法）であっても、オーディオビジュアルデータを実際のファイルとして扱っているので、オーディオビジュアル機器が１つのファイルとして読み込み終わるまでは再生できなかったり、ファイル転送のためにオーディオビジュアル機器であるパソコンやスマートフォン等に特殊なプログラム（アプリケーションソフト）が必要であったり、インターネットラジオ等のファイル化されないストリーミング音声を再生できなかったりと、いくつかの問題がある。
【０００７】
本発明は、このような事情に鑑みてなされたもので、オーディオビジュアルデータをファイル単位で一括して読み込む必要がなく、また、ファイルでデータが送られてくるのではなく、随時、再生データが送られてくる場合でも電子機器からオーディオビジュアル機器にオーディオビジュアルデータを送ることができるオーディオビジュアルアダプタ及びオーディオビジュアルデータの送信再生方法を提供することにある。
【課題を解決するための手段】
【０００８】
請求項１記載のオーディオビジュアルアダプタは、電子機器との間でオーディオビジュアルデータを授受する通信手段と、オーディオビジュアルデータが通信手段で時系列で随時送られてくるために１つのファイルになっていないにもかかわらず、オーディオビジュアル機器で読取・再生可能なファイル形式のオーディオビジュアルデータファイルとして、あたかも１つのファイルに束ねられているように偽装するファイルエミュレート手段と、当該オーディオビジュアルアダプタを、オーディオビジュアル機器に対して、オーディオビジュアルデータファイルが保存されたメモリとして認識可能な形態で接続するためのインタフェース手段とを備え、電子機器から適宜連続的に送られてくるオーディオビジュアルデータを、オーディオビジュアル機器で連続的に再生可能とすることを特徴とする。
【０００９】
請求項２記載のオーディオビジュアルアダプタは、ファイルエミュレート手段が、通信手段で時系列で随時送られてくるオーディオビジュアルデータを、１つのファイルとして保存するのではなく、通信手段から受領したオーディオビジュアルデータがファイル化されていないにも拘わらず、オーディオビジュアルデータファイルが存在するようにみせかけ、且つオーディオビジュアルデータが、あたかもオーディオビジュアルデータファイルのデータの一部として読み出せるように偽装することを特徴とする。
【００１０】
請求項３記載のオーディオビジュアルアダプタは、電子機器側から送られてくる通信するために最適化されたオーディオビジュアルデータを、オーディオビジュアルデータファイルに適合したデータに変換・制御するためのオーディオビジュアル制御手段を備えることを特徴とする。
【００１１】
請求項４記載のオーディオビジュアルアダプタは、インタフェース手段が、オーディオビジュアル機器との間で、ＵＳＢ形式を用いて接続されることを特徴とする。
【００１２】
請求項５記載のオーディオビジュアルアダプタは、通信手段が、無線手段であることを特徴とする。
【００１３】
請求項６記載のオーディオビジュアルアダプタは、無線手段の通信方式が、Ｂｌｕｅｔｏｏｔｈ（登録商標）であることを特徴とする。
【００１４】
請求項７記載のオーディオビジュアルデータの送信再生方法は、オーディオビジュアルアダプタの通信手段を介して、電子機器との間でオーディオビジュアルデータをオーディオビジュアルアダプタが受け取り、オーディオビジュアルデータを受け取ったオーディオビジュアルアダプタが、オーディオビジュアルデータが通信手段で時系列で随時送られてくるために１つのファイルになっていないにもかかわらず、オーディオビジュアル機器で読取・再生可能なファイル形式のオーディオビジュアルデータファイルとして、あたかも１つのファイルに束ねられているように偽装し、オーディオビジュアルアダプタを、オーディオビジュアル機器に対して、オーディオビジュアルデータファイルが保存されたメモリとして認識可能な形態で接続し、電子機器から適宜連続的に送られてくるオーディオビジュアルデータを、オーディオビジュアル機器で連続的に再生可能とすることを特徴とする。
【００１５】
請求項８記載のオーディオビジュアルデータの送信再生方法は、オーディオビジュアルアダプタが、通信手段で時系列で随時送られてくるオーディオビジュアルデータを、１つのファイルとして保存するのではなく、通信手段から受領したオーディオビジュアルデータがファイル化されていないにもかかわらず、オーディオビジュアルデータファイルが存在するようにみせかけ、且つオーディオビジュアルデータが、あたかもオーディオビジュアルデータファイルのデータの一部として読み出せるように偽装することを特徴とする。
【００１６】
請求項９記載のオーディオビジュアルデータの送信再生方法は、オーディオビジュアルアダプタが、オーディオビジュアルデータを、オーディオビジュアルデータファイルとして、あたかも１つのファイルに束ねられているように偽装するに先立ち、電子機器側から送られてくる通信するために最適化されたオーディオビジュアルデータを、オーディオビジュアルデータファイルに適合したデータに変換・制御することを特徴とする。
【００１７】
請求項１０記載のオーディオビジュアルデータの送信再生方法は、オーディオビジュアルアダプタが、オーディオビジュアル機器との間で、ＵＳＢ形式を用いて接続されることを特徴とする。
【００１８】
請求項１１記載のオーディオビジュアルデータの送信再生方法は、通信手段が、無線手段であることを特徴とする。
【００１９】
請求項１２記載のオーディオビジュアルデータの送信再生方法は、無線手段の通信方式が、Ｂｌｕｅｔｏｏｔｈ（登録商標）であることを特徴とする。
【発明の効果】
【００２０】
本願の発明によれば、オーディオビジュアルデータを一括して読み込む必要がなく、また、ファイルでデータが送られてくるのではなく、随時、再生データが送られてくる場合でも電子機器からオーディオビジュアル機器にオーディオビジュアルデータを送ることができる。
【図面の簡単な説明】
【００２１】
【図１】本発明に係るオーディオビジュアルアダプタに係るシステム構成の一例を示す構成図である。
【図２】同オーディオビジュアルアダプタの使用方法の一例を示す説明図である。
【図３】本発明に係るオーディオビジュアルアダプタに係るシステム構成の他の例を示す構成図である。
【発明を実施するための形態】
【００２２】
以下、本発明の形態について図面を参照しながら具体的に説明する。図１は、本発明に係るオーディオビジュアルアダプタに係るシステム構成の一例を示す構成図である。図２は、同オーディオビジュアルアダプタの使用方法の一例を示す説明図である。
【００２３】
図に示すオーディオビジュアルアダプタ１は、オーディオや映像をデータ化したオーディオビジュアルデータを保存するタブレット型の携帯情報端末である電子機器６から、オーディオビジュアルデータを再生するためのカーオーディオであるオーディオビジュアル機器４に、オーディオビジュアルデータを送り、電子機器６に保存されたオーディオビジュアルデータを、オーディオビジュアル機器４で再生するためのものである。
【００２４】
尚、電子機器６からオーディオビジュアル機器４に送られ、オーディオビジュアル機器４で再生可能なオーディオビジュアルデータは、音声、音響、音楽、映像及びそれらの組み合わせ等があるが、音又は及び映像である。
【００２５】
また、本実施の形態では、電子機器６をタブレット型の携帯情報端末として説明するが、それに限定されるものではなく、オーディオビジュアルデータを保存する電子機器であればよい。尚、電子機器６は、後述するオーディオビジュアルアダプタ１の無線部１０との間で、オーディオビジュアルデータを授受することが可能な無線機能を内蔵又は外付で備えている。
【００２６】
さらに、オーディオビジュアル機器４をカーオーディオとして説明するが、それに限定されるものではなく、オーディオビジュアルデータを再生することができるオーディオであるオーディオビジュアル機器であればよい。尚、オーディオビジュアル機器４は、オーディオビジュアルデータが再生する単位でファイルに束ねられたオーディオビジュアルデータファイルの形式で読取・再生が可能な装置であり、オーディオビジュアルデータファイルが保存されたメモリ（記憶媒体）として認識可能な形態で接続されるものである。
【００２７】
次に、電子機器６とオーディオビジュアル機器４とを接続するオーディオビジュアルアダプタ１について説明する。オーディオビジュアルアダプタ１は、無線部１０、ＵＳＢマイコン２０、ＵＳＢコネクタ３０、スイッチ１２及びＬＥＤ１４等で構成される。スイッチ１２は、オーディオビジュアルアダプタ１の電源をＯＮ／ＯＦＦしたり、オーディオビジュアルアダプタ１の機能や設定を変更するためのもので、ＬＥＤ１４は、オーディオビジュアルアダプタ１の電源のＯＮ／ＯＦＦや動作状態等を表示するためのものである。
【００２８】
オーディオビジュアルアダプタ１の無線部１０は、電子機器６との間でオーディオビジュアルデータを授受する通信手段であって無線手段である。本実施の形態では、通信手段であって無線手段である無線部１０の通信方式を、Ｂｌｕｅｔｏｏｔｈ（登録商標）として説明するが、無線方式はどのようなものであってもかまわない。無線方式（無線手段）の例としては、Ｂｌｕｅｔｏｏｔｈ（登録商標）の他、ＤＬＮＡ（登録商標）、Ｗｉ−Ｆｉ（登録商標）、赤外線等がある。但し、Ｂｌｕｅｔｏｏｔｈ（登録商標）を用いることで、オーディオや映像を無線送信しやすくなったり、電子機器６とオーディオビジュアルアダプタ１（オーディオビジュアル機器４）との距離が短い場合に適している。
【００２９】
オーディオビジュアルアダプタ１のＵＳＢマイコン２０は、後述する各種の機能を実現するためのソフトウェアを動作させたり、無線部１０やＵＳＢコネクタ３０に対するハード的な信号生成等を行う機能を有するマイクロコンピュータである。本実施の形態のオーディオビジュアルアダプタ１では、後述する各種の機能を実現させるために、ソフトウェアを用いて、マイクロコンピュータで処理を行っているが、このような形態に限られるものではなく、例えば、ハードウェアのみで後述の機能を実現させることも可能である。
【００３０】
ＵＳＢコネクタ３０は、オーディオビジュアルアダプタ１をオーディオビジュアル機器４に接続するためのコネクタで、本実施の形態では、ＵＳＢ形式を用いて接続される場合で説明が、ＵＳＢマイコン２０のインタフェース手段を含め、ＵＳＢ形式に限られるものではないが、ＵＳＢ形式を用いることで、多くのオーディオビジュアル機器４に、オーディオビジュアルアダプタ１を接続可能になったりする。
【００３１】
次に、オーディオビジュアルアダプタ１の各種の機能及び動作を説明する。まず、オーディオビジュアルアダプタ１のＵＳＢコネクタ３０を、オーディオビジュアル機器４のコネクタ口４ａに挿入することで、オーディオビジュアルアダプタ１をオーディオビジュアル機器４に接続する。そして、オーディオビジュアルアダプタ１のスイッチ１２を操作するか、又は自動で、オーディオビジュアルアダプタ１が動作を開始する。
【００３２】
オーディオビジュアルアダプタ１が動作している状態で、電子機器６からオーディオビジュアルアダプタ１にオーディオビジュアルデータが送られようとすると、オーディオビジュアルアダプタ１の無線部１０がそれを検知し、オーディオビジュアルデータを受信可能な状態になる。そして、電子機器６からオーディオビジュアルアダプタ１にオーディオビジュアルデータが送られ始める。尚、電子機器６からオーディオビジュアルアダプタ１に送られるオーディオビジュアルデータは、１つのファイルになっているのではなく、時系列で随時送られてくるものである。
【００３３】
尚、本実施の形態では、無線方式としてＢｌｕｅｔｏｏｔｈ（登録商標）を用いているので、オーディオビジュアルデータとしてオーディオデータが送られてくる場合には、ＡＡＣ（Ａｄｖａｎｃｅｄ  Ａｕｄｉｏ  Ｃｏｄｉｎｇ）やＳＢＣ（ＳｕｂＢａｎｄ  Ｃｏｄｅｃ）やａｐｔＸ等の圧縮フォーマットが用いられて送られてくる。無線部１０では、受け取ったオーディオビジュアルデータを、アナログ形式又はデジタル形式で、時系列で随時ＵＳＢマイコン２０に送る。
【００３４】
アナログ形式又はデジタル形式でオーディオビジュアルデータを受け取ったＵＳＢマイコン２０では、無線部１０から送られてくるオーディオビジュアルデータが、後述するファイルエミュレート部２４ですぐに処理できる形式のデータではない場合には、オーディオビジュアル制御手段であるオーディオビジュアル制御部２２で、所定の処理を行うようにする。すなわち、例えば、電子機器６側から送られてくる通信（無線通信）するために最適化されたオーディオビジュアルデータを、オーディオビジュアルデータファイルに適合したデータに変換・制御するようにする。この他、無線部１０からの信号がアナログの場合には、ＡＤ変換をオーディオビジュアル制御部２２で行う必要がある場合もある。
【００３５】
ＵＳＢマイコン２０では、次に、無線部１０又はオーディオビジュアル制御部２２から受け取ったオーディオビジュアルデータに、ファイルエミュレート手段であるファイルエミュレート部２４で所定の処理を施すようにする。
【００３６】
ファイルエミュレート部２４では、具体的には、オーディオビジュアルデータが無線部１０（必要に応じてオーディオビジュアル制御部２２）から時系列で随時送られてくるために１つのファイルになっていないにもかかわらず、オーディオビジュアル機器４で読取・再生可能なファイル形式のオーディオビジュアルデータファイルとして、あたかも１つのファイルに束ねられているように偽装する処理を行う。
【００３７】
より具体的には、ファイルエミュレート部２４で、無線部１０（必要に応じてオーディオビジュアル制御部２２）で時系列で随時送られてくるオーディオビジュアルデータを、１つのファイルとして保存するのではなく、無線部１０（必要に応じてオーディオビジュアル制御部２２）から受領したオーディオビジュアルデータがファイル化されていないにも拘わらず、オーディオビジュアルデータファイルが存在するようにみせかけ、且つオーディオビジュアルデータが、あたかもオーディオビジュアルデータファイルのデータの一部として読み出せるように偽装するようにする。
【００３８】
このようなファイルエミュレート部２４の処理としては、例えば、ファイル管理情報であるＦＡＴ（Ｆｉｌｅ  Ａｌｌｏｃａｔｉｏｎ  Ｔａｂｌｅ）の情報を擬似的に生成する。これにより、無線部１０（必要に応じてオーディオビジュアル制御部２２）で時系列で随時送られてくるオーディオビジュアルデータが、例えば、ＷＡＶやＭＰ３のようなファイル形式に束ねられているようにみえるようになる。
【００３９】
そして、インタフェース手段であるインタフェース部２６で、オーディオビジュアルアダプタ１を、オーディオビジュアル機器４に対して、オーディオビジュアルデータファイルが保存されたメモリとして認識可能な形態で接続するための処理を施す。これにより、オーディオビジュアル機器４からは、本実施の形態のオーディオビジュアルアダプタ１が、オーディオビジュアルデータファイルが保存されたＵＳＢメモリとして認識されることになる。これにより、オーディオビジュアル機器４でオーディオビジュアルデータを再生することができる。
【００４０】
以上のような構成及び動作のオーディオビジュアルアダプタ１によれば、オーディオビジュアルデータを一括して読み込む必要がなく、また、ファイルでデータが送られてくるのではなく、随時、再生データが送られてくる場合でも電子機器６からオーディオビジュアル機器４にオーディオビジュアルデータを送ることができる。
【００４１】
尚、上述のオーディオビジュアルアダプタ１では、通信手段を無線手段である無線部１０で説明し、電子機器６とオーディオビジュアルアダプタ１との間の通信を、無線で行うことで説明している。しかしながら、無線による場合に限定されるものではなく、有線で通信を行うことも可能である。図３は、通信手段として有線通信部１６で説明したものである。図３におけるオーディオビジュアルアダプタ２は、電子機器６とコネクタ１８を介してケーブルで接続される。そして、ケーブルを介して、有線通信部１６が、無線手段である無線部１０に準じた動作として、オーディオビジュアルアダプタ２と電子機器６との間でオーディオビジュアルデータを授受する。このように、オーディオビジュアルアダプタ１，２と電子機器６との間の接続は、無線でも有線であってもよい。
【産業上の利用可能性】
【００４２】
以上のように、本発明によれば、オーディオビジュアルデータを一括して読み込む必要がなく、また、ファイルでデータが送られてくるのではなく、随時、再生データが送られてくる場合でも電子機器からオーディオビジュアル機器にオーディオビジュアルデータを送ることができるオーディオビジュアルアダプタ及びオーディオビジュアルデータの送信再生方法を提供することができる。
【符号の説明】
【００４３】
１・・・・オーディオビジュアルアダプタ
２・・・・オーディオビジュアルアダプタ
４・・・・オーディオビジュアル機器
４ａ・・・コネクタ口
６・・・・電子機器
１０・・・無線部
１２・・・スイッチ
１４・・・ＬＥＤ
１６・・・有線通信部
１８・・・コネクタ
２０・・・ＵＳＢマイコン
２２・・・オーディオビジュアル制御部
２４・・・ファイルエミュレート部
２６・・・インタフェース部
３０・・・ＵＳＢコネクタ
【図１】
2016208167.tif 000003
【図２】
2016208167.tif 000004
【図３】
2016208167.tif 000005